(57)【要約】【課題】  書類ファイルのバインダにより綴じられた複数種類の書類間を仕切るために、バインダに綴じられる仕切シートを備え、この仕切シートに書類についての情報を記録したＩＣタグ取り付けることにより、汎用の書類ファイルを使用することが可能となり、且つ書類ファイルの破棄時に生じる情報の漏洩を防止すると共に、ＩＣタグの再使用を可能とした書類ファイルを提供する。【解決手段】  書類ファイル３３は、書類３２ａ、３２ｂを着脱自在に綴じ込むルーズリーフ式のバインダ３４（バインダの一部のみ描かれている）と、このバインダ３４により綴じられた複数種類の書類３２ａ、３２ｂ間を仕切るためにバインダ３４に綴じられる仕切シート３０ａ、３０ｂと、この仕切シート３０ａ、３０ｂに取り付けられて綴じられた書類３２ａ、３２ｂについての情報を記録するＩＣタグ２００ａ、２００ｂとを備えて構成される。尚、仕切シート３０ａ、３０ｂに取り付けられたＩＣタグ２００ａ、２００ｂは、お互いの電波干渉を防止するために位置をずらして取り付けられている。【選択図】  図３
2005343082.tif 000002
【特許請求の範囲】
【請求項１】
書類を着脱自在に綴じ込むルーズリーフ式のバインダと、該書類と共にバインダにより綴じられる仕切シートと、該仕切シートに取り付けられて綴じられた書類についての情報を記録するＩＣタグと、を備えたことを特徴とする書類ファイル。
【請求項２】
前記仕切シートが当該書類ファイルに複数綴じられる場合、各仕切シートに取り付けられるＩＣタグ同士は、電波到来方向に対して各ＩＣタグが相互に重複しない位置に設定されることを特徴とする請求項１に記載の書類ファイル。
【請求項３】
ルーズリーフ式のバインダに綴じ込まれた複数種類の書類間を仕切るために該バインダに綴じ込まれる仕切シートであって、
前記仕切シートには、前記書類についての情報を記録するＩＣタグを備えていることを特徴とする仕切シート。
【請求項４】
請求項１、又は２に記載の書類ファイルを複数収容する収容手段と、該収容手段に収容された書類ファイル内の仕切シートに付されたＩＣタグに対して情報の読み書きを行うリーダライタと、該リーダライタを制御する制御手段と、前記仕切シートに付されたＩＣタグとの間で電波を授受するために前記収容手段に装備されるアンテナと、を備えたことを特徴とする書類ファイリングシステム。
【請求項５】
前記アンテナと前記仕切シートに付されたＩＣタグとの位置関係は、当該アンテナから放射される電波の到来方向に対して略直交するように設定されることを特徴とする請求項４に記載の書類ファイリングシステム。
【発明の詳細な説明】
【技術分野】
【０００１】
本発明は、書類ファイル、仕切シートおよび書類ファイリングシステムに関し、さらに詳しくは、ＩＣタグを取り付けた仕切シートを書類ファイルに綴じることにより、当該書類ファイルに綴じられた書類の管理を正確且つ効率的に行う仕切シートの構成に関するものである。
【背景技術】
【０００２】
従来から、会社、役所等のように多量の書類を保管、整理、移動する作業を日常的に行うオフィス環境では、作業を効率化するために、書類を分類して一つの書類ファイルに綴じて管理し、その書類ファイルを収容棚に収容している形態が多く見られる。
また、この書類ファイルを管理するための更に進んだ形態として、図６のように、書類６４をバインダ６２により綴じ込んだ書類ファイル６３の例えば側面６０に、書類についての情報を記録したＩＣタグ６１を取り付けて、リーダライタとＰＣにより管理する方法が提案されている。それによると、書類ファイルを収容する収容棚にアンテナを備え、書類ファイル６３が収容棚に収容されると、ＩＣタグ６１の記録情報をアンテナを介して受信することにより、書類ファイル６３内の書類６４を管理するものである。いずれにしても、書類ファイルは頻繁に収容棚から出し入れされるため、表紙が破損することが多々発生する。このような場合、書類ファイルを新規なものに交換して中味を入れ替える必要が生じる。しかし、一般的に書類ファイルを作製する場合、書類ファイルメーカーにＩＣタグを予め備えた特製の書類ファイルとして制作を依頼することが多い。また、ＩＣタグの寿命は圧倒的に書類ファイルより永いのが常識である。従って、書類ファイルを交換する場合、まだ使用可能なＩＣタグも破棄せざるを得なくなり、資源のリサイクルに逆行する結果となる。また、特製の書類ファイルでなく、汎用の書類ファイルにＩＣタグを取り付けて使用する場合においても、その書類ファイルを破棄する場合は、ＩＣタグも同時に廃棄するか、或いはＩＣタグを取り外す作業が発生する。
【発明の開示】
【発明が解決しようとする課題】
【０００３】
ＩＣタグを書類ファイルに取り付けて管理する従来の書類ファイルでは、その書類ファイルを破棄する場合に、まだ使用可能なＩＣタグも破棄しなければならず資源の再使用が不可能となる問題があった。
また、ＩＣタグ付の特製の書類ファイルを作製する場合は、ファイル費用が高くなるといった問題がある。
また、破棄した書類ファイルに取り付けられたＩＣタグの情報を不正に読み取られる虞があり、情報の漏洩の点で多くの問題を残している。
更に、情報の漏洩を防ぐために書類ファイルに取り付けられたＩＣタグの情報を消去したり、ＩＣタグそのものを破壊したり、或いは取り外さなければならず、その作業に手間がかかるといった問題がある。
本発明は、かかる課題に鑑み、書類ファイルのバインダにより綴じられた複数種類の書類間を仕切るためにバインダに綴じられる仕切シートを備え、この仕切シートに書類についての情報を記録したＩＣタグを取り付けることにより、汎用の書類ファイルを使用することが可能となり、且つ書類ファイルの破棄時に生じる情報の漏洩を防止すると共に、ＩＣタグの再使用を可能とした書類ファイルを提供することを目的とする。
【課題を解決するための手段】
【０００４】
本発明はかかる課題を解決するために、請求項１は、書類を着脱自在に綴じ込むルーズリーフ式のバインダと、該書類と共にバインダにより綴じられる仕切シートと、該仕切シートに取り付けられて綴じられた書類についての情報を記録するＩＣタグと、を備えたことを特徴とする。
本発明の特徴は、書類ファイルの形態を書類を着脱自在に綴じ込むルーズリーフ式のバインダ付とし、書類と共にバインダにより綴じられる仕切シートに、綴じられた書類についての情報を記録するＩＣタグを取り付けた点である。これにより、書類ファイルを交換する状況が発生した場合、書類と仕切シートごと新しい書類ファイルに綴じればよいことになる。
請求項２は、前記仕切シートが当該書類ファイルに複数綴じられる場合、各仕切シートに取り付けられるＩＣタグ同士は、電波到来方向に対して各ＩＣタグが相互に重複しない位置に設定されることを特徴とする。
仕切シートの役割は、書類ファイル内の分類された書類を仕切るためのものである。従って、書類ファイル内に複数の分類を必要とする書類が混在する場合、複数の仕切シートによりそれらの書類を仕切る必要がある。このとき複数の仕切シートに取り付けられたＩＣタグの情報を一括して正確に読むためには、リーダライタの電波到来方向に対して各ＩＣタグが互いに重複しない位置に取り付けられなければならない。
【０００５】
請求項３は、ルーズリーフ式のバインダに綴じ込まれた複数種類の書類間を仕切るために該バインダに綴じ込まれる仕切シートであって、前記仕切シートには、前記書類についての情報を記録するＩＣタグを備えていることを特徴とする。
本発明の書類ファイルは、書類一枚単位に管理するものではなく、分類された複数の書類単位に管理する形態である。従って、最も効果的な管理方法として、分類された書類を区別する仕切シートにその分類された書類についての情報を記録するＩＣタグを取り付けることが考えられる。
請求項４は、請求項１、又は２に記載の書類ファイルを複数収容する収容手段と、該収容手段に収容された書類ファイル内の仕切シートに付されたＩＣタグに対して情報の読み書きを行うリーダライタと、該リーダライタを制御する制御手段と、前記仕切シートに付されたＩＣタグとの間で電波を授受するために前記収容手段に装備されるアンテナと、を備えたことを特徴とする。
仕切シートにＩＣタグが取り付けられた複数の書類ファイルを管理するには、収容手段にアンテナを備えて、そのアンテナを介して各ＩＣタグの記録情報を読み書きする必要がある。そのため、リーダライタとそれを制御する制御手段が更に必要となる。
請求項５は、前記アンテナと前記仕切シートに付されたＩＣタグとの位置関係は、当該アンテナから放射される電波の到来方向に対して略直交するように前記仕切シートに設定されることを特徴とする。
収容手段に対して書類ファイルの前面を収容手段の前側になるように収容した場合、仕切シートは収容手段の棚奥行き方向と平行になる。このときアンテナから放射される電波の到来方向に対してＩＣタグの電波受信面が略直交するようにアンテナを配置すればどのような配置でも構わない。
【発明の効果】
【０００６】
請求項１の発明によれば、バインダ付の書類ファイルにファイル内の書類を分類する仕切シートを備え、その仕切シートに書類についての情報を記録するＩＣタグを取り付けたことにより、汎用の書類ファイルを使用することが可能となり、且つ書類ファイルの破棄時に生じる情報の漏洩を防止すると共に、ＩＣタグの再使用を可能とすることができる。
また請求項２では、仕切シートにはＩＣタグが取り付けられる。このとき仕切シートが書類ファイルに複数綴じられる場合、各仕切シートに取り付けられるＩＣタグ相互の位置関係は、電波到来方向に対して各ＩＣタグが互いに重複しない位置に取り付けることにより、各ＩＣタグからの電波干渉を防止して、一括してＩＣタグの情報を読み取ることができる。
また請求項３では、複数種類の書類間を仕切るためにバインダに綴じ込まれる仕切シートに、書類についての情報を記録するＩＣタグを取り付けることにより、仕切シート単位で書類の管理を電子的に行うことができる。
また請求項４では、ＩＣタグを取り付けた仕切シートを綴じた書類ファイルを自動的に管理するために、その書類ファイルを収容する収容手段にアンテナを備え、アンテナを介して受信したＩＣタグの情報を読み書きするリーダライタと制御手段を備えたシステムを構築する。これにより、書類ファイルを収容手段に収容したままＩＣタグの記録情報の読み書きが可能となり、書類ファイルの管理を自動的に行うことができる。
また請求項５では、収容手段に備えられたアンテナとＩＣタグとの位置関係を、アンテナから放射される電波の到来方向に対して略直交するように設定するので、ＩＣタグとの情報の授受を正確に且つ確実に行うことができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態のＩＣタグ用リーダライタの構成を示すブロック図である。このＩＣタグ用リーダライタ１００は、リーダライタ１００との間でデータの授受を行ってシステム全体を制御するコンピュータＰＣ（制御手段）５０によって制御される。リーダライタ１００は、外部のＰＣ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣタグとの電力用搬送波とデータの授受をするループアンテナ９とを備えて構成されている。
次に、本構成によるリーダライタ１００の動作を説明する前に、ＩＣタグの構成を先に説明しておく。図２は、本発明の実施形態のＩＣタグの構成を示すブロック図である。本実施形態のＩＣタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＩＣタグ２００の全体の動作を制御する制御回路２６から構成されている。
【０００８】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＩＣタグ２００に供給する電力供給用信号と、ポーリング信号を交互に電力増幅器７から送信する。その信号は、ループアンテナ９から電磁波として外部に放射される。次に、ＩＣタグ２００がリーダライタ１００に近接すると、ループアンテナ２０が電力供給用信号を受信し、電力生成回路２２によりその搬送波を整流して直流電力に変換して、タグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＩＣタグ２００が規格に合致したＩＤカードであると認識する。それにより、以後リーダライタ１００とＩＣタグ２００の間でポーリングが行われる。
【０００９】
図３は本発明の実施形態に係る仕切シートと書類ファイルの外観斜視図である。図３（ａ）はファイルされる書類が一種類で構成され且つ仕切シートが１枚の場合の図であり、図３（ｂ）は書類が複数種類（この例では二種類）で構成され仕切シートが２枚の場合の図である。図３（ａ）の書類ファイル３３は、書類３２を着脱自在に綴じ込むルーズリーフ式のバインダ３４（バインダの一部のみ描かれている）と、このバインダ３４により綴じられた仕切シート３０と、この仕切シート３０に取り付けられて綴じられた書類３２についての情報を記録するＩＣタグ２００とを備えて構成される。尚、図では仕切シート３０を書類ファイル３３の表紙の近傍に綴じているが、書類ファイル３３内であれば何処でも構わない。また、符号３１は仕切シートをバインダ３４により綴じるための綴じ穴である。
本実施形態のように書類ファイル３３の中に一種類の書類３２を綴じる場合、仕切シート３０に取り付けられたＩＣタグ２００には、書類３２に関する情報、例えば、書類名、作成日、作成者等が記録されている。そして、書類の種類或いは内容が変更になった場合は、仕切シート３０をバインダ３４から取り外して、仕切シート３０に取り付けられたＩＣタグ２００の記録情報を書き換えて、再び仕切シート３０を書類ファイル３３に綴じ直せば完了する。
また図３（ｂ）の書類ファイル３３は、書類３２ａ、３２ｂを着脱自在に綴じ込むルーズリーフ式のバインダ３４（バインダの一部のみ描かれている）と、このバインダ３４により綴じられた複数種類の書類３２ａ、３２ｂ間を仕切るためにバインダ３４に綴じられる仕切シート３０ａ、３０ｂと、この仕切シート３０ａ、３０ｂに取り付けられて綴じられた書類３２ａ、３２ｂについての情報を記録するＩＣタグ２００ａ、２００ｂとを備えて構成される。尚、仕切シート３０ａ、３０ｂに取り付けられたＩＣタグ２００ａ、２００ｂは、お互いの電波干渉を防止するために位置をずらして取り付けられている（詳細は後述する）。
本実施形態の特徴は、書類ファイル３３の形態を、書類を着脱自在に綴じ込むルーズリーフ式のバインダとし、複数種類の書類３２ａ、３２ｂ間を仕切るためにバインダに綴じられる仕切シート３０ａ、３０ｂに、綴じられた書類３２ａ、３２ｂについての情報を記録するＩＣタグ２００ａ、２００ｂを取り付けた点である。即ち、ＩＣタグ２００ａには書類３２ａについての情報が記録され、ＩＣタグ２００ｂには書類３２ｂについての情報が記録される。
以上の実施形態を実現することにより、書類ファイルとしてＩＣタグ付の特製の書類ファイルを使用する必要が無くなり、汎用の書類ファイルを使用することが可能となる。また書類ファイル３３を破棄する時は、書類３２（３２ａ、３２ｂ）と仕切シート３０（３０ａ、３０ｂ）をバインダから取り外して、書類ファイル３３のみを破棄すればよいので、破棄時に生じる情報の漏洩を防止することができると共に、ＩＣタグ２００（２００ａ、２００ｂ）を再使用することができる。
【００１０】
図４は本発明の仕切シートに取り付けるＩＣタグの取り付け方を説明する図である。図４（ａ）は各仕切りシート（この例では３枚）に取り付けたＩＣタグの位置を示した図であり、図４（ｂ）は図４（ａ）の３枚の仕切シートを重ねた場合の各ＩＣタグの位置関係を示す透視図である。ここでアンテナから放射される電波はアンテナがループ形状をしている場合、電波の電磁界方向はループアンテナに対して直交するように放射される。即ち、その電磁界をＩＣタグのアンテナが受信する場合は、電磁界に対して直交するように配置されたときが最も大きな起電力をＩＣタグのアンテナに発生する（感度が高い）。そのときＩＣタグのアンテナからは逆方向の電磁界が発生する。従って、複数のアンテナが近接して重なった場合、お互いの逆電磁界によりＩＣタグのアンテナに発生する起電力を打ち消し合うように働き（電磁干渉）、受信感度を弱めたり、情報を乱す原因となる。
そこで本実施形態では、そのような現象を防止するためになされたものであり、例えば図４（ａ）のように、仕切シート３０ａに取り付けるＩＣタグ２００ａを仕切シート３０ａの右下隅に取り付けた場合、２枚目の仕切シート３０ｂに取り付けるＩＣタグ２００ｂを仕切シート３０ａに重ならないようにやや上に取り付け、３枚目の仕切シート３０ｃに取り付けるＩＣタグ２００ｃを仕切シート３０ｂに重ならないようにやや上に取り付けるようにする。この位置関係を図４（ｂ）を参照して説明すると、ＩＣタグ２００ａに対して、ＩＣタグ２００ｂ、２００ｃは仕切シート３０の縦方向に重なることなく取り付けることができる。
また他の例として、図４（ａ）のように、仕切シート３０ａに取り付けるＩＣタグ２００ａを仕切シート３０ａの右下隅に取り付けた場合、２枚目の仕切シート３０ｂに取り付けるＩＣタグ２００Ｂを仕切シート３０ａに重ならないようにやや左に取り付け、３枚目の仕切シート３０ｃに取り付けるＩＣタグ２００Ｃを仕切シート３０Ｂに重ならないようにやや左に取り付けるようにする。この位置関係を図４（ｂ）を参照して説明すると、ＩＣタグ２００ａに対して、ＩＣタグ２００Ｂ、２００Ｃは仕切シート３０の横方向に重なることなく取り付けることができる。尚、各ＩＣタグが重ならなければ、どのような位置でも構わない。
このように仕切シート３０にはＩＣタグ２００が取り付けられる。このとき仕切シート３０が書類ファイル３３に複数綴じられる場合、各仕切シートに取り付けられるＩＣタグ相互の位置関係は、電波到来方向に対して各ＩＣタグが互いに重複しない位置に取り付けることにより、各ＩＣタグからの電波干渉を防止して、一括してＩＣタグの情報を正確に読み取ることが可能となる。
【００１１】
図５は本発明の書類ファイリングシステムの構成を示す図である。同じ構成要素には同じ参照番号を付して説明する。この書類ファイリングシステム３００は、図３により説明した書類ファイル３３を複数収容する収容棚（収容手段）４０と、この収容棚４０に収容された書類ファイル３３内の図示しない仕切シートに付されたＩＣタグに対して情報の読み書きを行うリーダライタ１００と、このリーダライタ１００を制御するＰＣ（制御手段）５０と、仕切シートに付されたＩＣタグとの間で電波を授受するために収容棚４０に装備されるアンテナ９ａ、９ｂとを備えて構成される。
尚、収容棚４０内に備えられたアンテナ９ａ、９ｂとリーダライタ１００はケーブル４４により接続されている。また、この例では複数の書類ファイル３３は収容棚４０の上下を区切る棚４１の棚上部、棚下部に収容され、書類ファイル３３の側面には図示しないＩＣタグが貼付され、アンテナ９ａ、９ｂにより情報が読み書きできる構成となっている。また扉４５に備えられた鍵４６により施開錠が可能な構成とし、ＰＣ５０が収容棚４０の鍵４６の施開錠制御を行うものとする。
本実施形態では、アンテナ９ａ、９ｂが棚上部と棚下部のそれぞれ中央に設置されている。従って、複数の書類ファイル３３ａ内の仕切シートに取り付けられたＩＣタグの記録情報は、アンテナ９ａを介して一括して読み書きされ、複数の書類ファイル３３ｂ内の仕切シートに取り付けられたＩＣタグの記録情報は、アンテナ９ｂを介して一括して読み書きされることになる。即ち、アンテナ９ａ、９ｂは一括読み書きが可能なリーダライタ１００により駆動される。
【００１２】
次に本発明の実施形態の動作について説明する。まず書類の貸し出し動作について説明する。利用者はリーダライタ１００に認証用のＩＤカード（社員証等）を近接して収容棚４０の鍵４６を開錠する。このとき書類ファイル３３は図５の向きに収容棚４０に収容されているので、アンテナ９ａ、９ｂからは各仕切りシートに取り付けられたＩＣタグの情報（書類ファイル３３ａ、３３ｂ内の書類情報）がリーダライタ１００から読取られている。その状態から利用者は貸し出しを希望する書類が収容棚４０にあることをＰＣ５０のモニタにより確認すると、キーボードから希望する書類名を入力することにより、リーダライタ１００は仕切シートに取り付けられたＩＣタグの記録情報に貸し出し者名と貸し出し日付を記録する。そして、利用者は収容棚４０から希望する書類が綴じられた書類ファイルを取り出し、その中から希望する書類と仕切シートを取り出して、残りの書類が綴じられた書類ファイルを収容棚４０に戻して、扉４５を閉めることにより鍵４６が施錠される。
或いは収容棚４０から希望する書類が綴じられた書類ファイルを取り出し、その中から希望する書類と仕切シートを取り出してリーダライタ１００に近接することにより、リーダライタ１００は仕切シートに取り付けられたＩＣタグの記録情報に貸し出し者名と貸し出し日付を記録するようにして、利用者は残りの書類が綴じられた書類ファイルを収容棚４０に戻して、扉４５を閉めることにより鍵４６が施錠されるようにしてもよい。
【００１３】
次に利用者が借りた書類ファイルを返却する動作について説明する。利用者はリーダライタ１００に認証用のＩＤカード（社員証等）を近接する。その後、キーボードから借りた書類名を入力するか、或いは借りた書類の仕切シートに取り付けられたＩＣタグをリーダライタ１００に近接する。ＰＣ５０はその情報から、利用者が正規の利用者で、且つ返却する書類が正しい書類であることを認証すると収容棚４０の鍵４６を開錠する。そして収容棚４０から借りた書類が綴じられていた書類ファイルを取り出し、その中に借りた書類と仕切シートを綴じて書類ファイルを収容棚４０に戻して、扉４５を閉めることにより鍵４６が施錠される。
このように、ＩＣタグを取り付けた仕切シートを綴じた書類ファイルを自動的に管理するために、その書類ファイルを収容する収容棚４０にアンテナ９ａ、９ｂを備え、アンテナを介して受信したＩＣタグの情報を読み書きするリーダライタ１００とＰＣ５０を備えたシステムを構築することにより、書類ファイルを収容棚４０に収容したままＩＣタグの記録情報の読み書きが可能となり、書類ファイルの管理を自動的に行うことができる。また、収容棚４０に備えられたアンテナ９ａ、９ｂとＩＣタグとの位置関係を、アンテナ９ａ、９ｂから放射される電波の到来方向（この例ではアンテナの左右方向）に対して略直交するように書類ファイルを収容するので、ＩＣタグとの情報の授受を正確に且つ確実に行うことができる。尚、本実施形態ではアンテナ９ａ、９ｂを収容棚４０の棚上部と棚下部のそれぞれ中央に設置しているが、アンテナから放射される電波の到来方向に対してＩＣタグの電波受信面が略直交するようにすれば、収容棚４０の何処でも構わない。
【図面の簡単な説明】
【００１４】
【図１】本発明の実施形態のＩＣタグ用リーダライタの構成を示すブロック図。
【図２】本発明の実施形態のＩＣタグの構成を示すブロック図。
【図３】本発明の実施形態に係る仕切シートと書類ファイルの外観斜視図。
【図４】本発明の仕切シートに取り付けるＩＣタグの取り付け方を説明する図。
【図５】本発明の書類ファイリングシステムの構成を示す図。
【図６】従来のＩＣタグ付の書類ファイルの外観図。
【符号の説明】
【００１５】
３０ａ、３０ｂ  仕切シート、３２ａ、３２ｂ  書類、３３  書類ファイル、３４  バインダ、４０  収容棚、５０  ＰＣ、１００  リーダライタ、２００ａ、２００ｂ  ＩＣタグ、３００  書類ファイリングシステム
【図１】
2005343082.tif 000003
【図２】
2005343082.tif 000004
【図３】
2005343082.tif 000005
【図４】
2005343082.tif 000006
【図５】
2005343082.tif 000007
【図６】
2005343082.tif 000008